(57)【要約】【課題】屋根の外観を悪化させることなく小屋裏を十分に換気することが可能な棟換気構造及び棟換気用ユニットを提供する。【解決手段】屋根２の棟に取付けられる棟換気ユニット１の棟換気用内部材１０に、長方形の基部１１と、基部１１の一つの長辺から上方へ延出している第一中壁部１２と、第一中壁部１２の上端辺から基部１１とは反対側へ延出している第一上壁部１３と、第一上壁部１３の先端辺から下方へ延出している側壁部１４と、基部１１の残りの長辺から上方へ延出している第二中壁部１５と、第二中壁部１５の上端辺から基部１１とは反対側へ延出している第二上壁部１６と、を具備させ、少なくとも第一中壁部１２及び第二中壁部１５が通気性を有するようにした。【選択図】図１
2019094722.tif 000002
【特許請求の範囲】
【請求項１】
棟側に小屋裏と連通し棟に沿った開口部を形成している状態で屋根の構造材に取付けられている野地板と、該野地板の上面における棟側の端辺に沿って取付けられている棒状の桟部材と、該桟部材よりも軒側で前記野地板の上面に取付けられている屋根材と、一部が前記桟部材よりも軒側へ延出しており前記屋根材との間に隙間が形成されるように前記桟部材の上面に取付けられている棟換気用内部材を有する棟換気用ユニットと、該棟換気用ユニット及び前記開口部を上方から覆うように前記棟換気用内部材に取付けられている棟包と、を具備している屋根の棟換気構造であって、
前記棟換気用内部材は、
長方形で平板状の基部と、
該基部の一つの長辺から上方へ延出している平板状の第一中壁部と、
該第一中壁部の上端辺から前記基部と平行に反対側へ延出している平板状の第一上壁部と、
該第一上壁部の先端辺から前記基部と同じ高さまで下方へ延出している平板状の側壁部と、
前記基部における残りの長辺から前記第一中壁部と同じ高さまで上方へ延出している平板状の第二中壁部と、
該第二中壁部の上端辺から前記第一上壁部と同一面上で前記基部とは反対側へ延出している平板状の第二上壁部と
を有しており、
少なくとも前記第一中壁部及び前記第二中壁部が通気性を有し、前記側壁部を軒側へ向けた状態で前記基部が前記桟部材に取付けられている
ことを特徴とする棟換気構造。
【請求項２】
前記棟包に、
前記棟換気用内部材における前記側壁部の外側を覆う平板状の側被覆部を有しており、
前記棟換気用ユニットは、
前記側壁部を間にして前記側被覆部とは反対側に位置しており、外方から該側被覆部及び前記側壁部を貫通して組立ビスがねじ込まれることにより、前記棟換気用内部材に前記棟包を取付けている取付部材を、
更に有していることを特徴とする請求項１に記載の棟換気構造。
【請求項３】
請求項１又は請求項２に記載の棟換気構造に使用される棟換気用ユニットであって、
長方形で平板状の基部と、
該基部の一つの長辺から上方へ延出している平板状の第一中壁部と、
該第一中壁部の上端辺から前記基部と平行に反対側へ延出している平板状の第一上壁部と、
該第一上壁部の先端辺から前記基部と同じ高さまで下方へ延出している平板状の側壁部と、
前記基部における残りの長辺から前記第一中壁部と同じ高さまで上方へ延出している平板状の第二中壁部と、
該第二中壁部の上端辺から前記第一上壁部と同一面上で前記基部とは反対側へ延出している平板状の第二上壁部と
を備えており、
少なくとも前記第一中壁部及び前記第二中壁部が通気性を有する棟換気用内部材を、有していることを特徴とする棟換気用ユニット。
【発明の詳細な説明】
【技術分野】
【０００１】
本発明は、屋根の棟において小屋裏を換気するための棟換気構造及び棟換気用ユニットに関するものである。
【背景技術】
【０００２】
屋根の棟では、屋根の構造材上に取付けられている平板状の野地板における棟側の端辺付近に、棟の長手方向へ長い棟板が取付けられていると共に、棟板を上方から覆う棟包が取付けられている。そして、棟包により、野地板の下方の空間である小屋裏内へ、棟側から雨水が浸入することが防止される。小屋裏は、湿気や熱気がこもり易いため、建物内にカビが生えたり腐食したりする問題が発生する。
【０００３】
これに対して、野地板の棟側に、棟に沿って小屋裏と連通する開口部を設けた上で、屋根の棟に取付けられている棟包の上端部に、小屋裏と連通する貫通孔を形成し、棟包における貫通孔を含む周辺を上方から覆うように上部材を取付けると共に、貫通孔よりも軒側の部位で、貫通孔と連通する複数の通気口を上部材に形成することにより、貫通孔及び通気口を通して小屋裏を換気できるようにしたものが提案されている（特許文献１）。
【０００４】
しかしながら、特許文献１の技術では、野地板の棟側の開口部が大きくても、上部材に形成されている複数の通気口の部位でしか、外部と連通していないため、小屋裏の換気を十分に行うことができなかった。また、特許文献１の技術では、棟包に貫通孔を形成していると共に、上部材に複数の通気口を形成していることから、それらの加工に手間がかかり、コストが増加する問題があった。更に、特許文献１の技術では、上部材が棟包よりも上方に突出しているため、屋根の外観が悪い問題があった。
【先行技術文献】
【特許文献】
【０００５】
【特許文献１】特開平１０−１０２７０７号公報
【発明の概要】
【発明が解決しようとする課題】
【０００６】
そこで、本発明は、上記の実情に鑑み、屋根の外観を悪化させることなく小屋裏を十分に換気することが可能な棟換気構造及び棟換気用ユニットの提供を課題とするものである。
【課題を解決するための手段】
【０００７】
上記の課題を解決するために、本発明に係る棟換気構造は、「棟側に小屋裏と連通し棟に沿った開口部を形成している状態で屋根の構造材に取付けられている野地板と、該野地板の上面における棟側の端辺に沿って取付けられている棒状の桟部材と、該桟部材よりも軒側で前記野地板の上面に取付けられている屋根材と、一部が前記桟部材よりも軒側へ延出しており前記屋根材との間に隙間が形成されるように前記桟部材の上面に取付けられている棟換気用内部材を有する棟換気用ユニットと、該棟換気用ユニット及び前記開口部を上方から覆うように前記棟換気用内部材に取付けられている棟包と、を具備している屋根の棟換気構造であって、前記棟換気用内部材は、長方形で平板状の基部と、該基部の一つの長辺から上方へ延出している平板状の第一中壁部と、該第一中壁部の上端辺から前記基部と平行に反対側へ延出している平板状の第一上壁部と、該第一上壁部の先端辺から前記基部と同じ高さまで下方へ延出している平板状の側壁部と、前記基部における残りの長辺から前記第一中壁部と同じ高さまで上方へ延出している平板状の第二中壁部と、該第二中壁部の上端辺から前記第一上壁部と同一面上で前記基部とは反対側へ延出している平板状の第二上壁部とを有しており、少なくとも前記第一中壁部及び前記第二中壁部が通気性を有し、前記側壁部を軒側へ向けた状態で前記基部が前記桟部材に取付けられている」ことを特徴とする。
【０００８】
ここで、通気性を有する「内部材」としては、「エキスパンドメタル」、「パンチングメタル」、「ウェッジワイヤースクリーン」、「金網」、「合成樹脂網」、を例示することができる。
【０００９】
ところで、野地板に取付けられている桟部材は、野地板に取付けられている屋根材上において、何らかの理由により雨水が棟側へ流れた時に、野地板よりも棟側の開口部を通って雨水が小屋裏へ浸入することを防止する役目を担っている。従って、桟部材は、屋根材の上面よりも上方へ突出しているものである。
【００１０】
本構成の棟換気構造によれば、棟包が、棟換気用ユニットにおける棟換気用内部材の基部の下面から第一上壁部及び第二上壁部の上面までの高さの分だけ、桟部材よりも上方に位置しており、棟換気用内部材の第二中壁部が開口部を通して小屋裏内の内気と接している。一方、棟換気用内部材の第一中壁部では、上端辺から軒側へ第一上壁部が延出していることから、第一上壁部の軒側の端辺が桟部材よりも軒側に位置することとなり、第一上壁部の軒側の端辺から下方へ延出している側壁部も桟部材よりも軒側に位置している。そして、側壁部が第一上壁部から基部と同じ高さまで延出しているため、側壁部の下端辺と屋根材の上面との間に、隙間が形成されており、その隙間を通して第一中壁部が外気と接している。
【００１１】
従って、通気性を有する棟換気用内部材の第一中壁部と第二中壁部とにおける通気空間を通して、側壁部の下端辺と屋根材の上面との間の隙間と、野地板よりも棟側の開口部とが、連通した状態となり、小屋裏を換気することができる。
【００１２】
このように、本構成の棟換気構造によれば、棟換気用内部材により棟に沿った開口部の全長に亘る部位で小屋裏の換気を行うことができるため、特許文献１の技術のように上部材に形成されている通気口の部位で換気する場合と比較して、外部と小屋裏とが連通する通路を大きくすることができ、小屋裏を十分に換気することができる。また、棟包に貫通孔を形成する必要がないため、コストの増加を抑制させることができる。
【００１３】
また、棟包よりも下方である側壁部の下端辺と屋根材の上面との間の隙間を通して、小屋裏を換気していることから、棟包よりも上方へ突出するような部材を有していないため、屋根の外観が悪化することはない。
【００１４】
また、本発明に係る棟換気構造は、上記の構成に加えて、「前記棟包に、前記棟換気用内部材における前記側壁部の外側を覆う平板状の側被覆部を有しており、前記棟換気用ユニットは、前記側壁部を間にして前記側被覆部とは反対側に位置しており、外方から該側被覆部及び前記側壁部を貫通して組立ビスがねじ込まれることにより、前記棟換気用内部材に前記棟包を取付けている取付部材を、更に有している」ことを特徴とする。
【００１５】
本構成によれば、外方から棟包の側被覆部と棟換気用内部材の側壁部とを貫通して組立ビスを、棟換気用ユニットの取付部材にねじ込むことにより、組立ビスの頭部と取付部材とで側被覆部と側壁部とを挟持することができ、棟換気用内部材に棟包を取付けることができる。
【００１６】
本発明に係る棟換気用ユニットは、「長方形で平板状の基部と、該基部の一つの長辺から上方へ延出している平板状の第一中壁部と、該第一中壁部の上端辺から前記基部と平行に反対側へ延出している平板状の第一上壁部と、該第一上壁部の先端辺から前記基部と同じ高さまで下方へ延出している平板状の側壁部と、前記基部における残りの長辺から前記第一中壁部と同じ高さまで上方へ延出している平板状の第二中壁部と、該第二中壁部の上端辺から前記第一上壁部と同一面上で前記基部とは反対側へ延出している平板状の第二上壁部とを備えており、少なくとも前記第一中壁部及び前記第二中壁部が通気性を有する棟換気用内部材を、有している」ことを特徴とする。
【００１７】
本構成の棟換気用ユニットによれば、野地板の上面に、棟側の端辺に沿って棒状の桟部材が取付けられていると共に桟部材よりも軒側に屋根材が取付けられており、野地板よりも棟側に小屋裏と連通し棟に沿った開口部が形成されている屋根に対して、棟換気用ユニットにおける棟換気用内部材の側壁部を軒側へ向けた状態で基部を桟部材に取付ける。その後、棟換気用内部材及び開口部を上方から覆うように、棟包を棟換気用内部材に取付けることにより、上述した棟換気構造を構築することができる。
【発明の効果】
【００１８】
以上のように、本発明の効果として、屋根の外観を悪化させることなく小屋裏を十分に換気することが可能な棟換気構造及び棟換気用ユニットを提供することができる。
【図面の簡単な説明】
【００１９】
【図１】本発明の一実施形態である棟換気構造を示す断面図である。
【図２】図１の棟換気構造を分解して示す断面図である。
【図３】図１の棟換気構造を分解して示す斜視図である。
【図４】図１の棟換気構造が構築された屋根の斜視図である。
【図５】本発明の棟換気構造を片流れの屋根に適用した断面図である。
【発明を実施するための形態】
【００２０】
本発明の一実施形態である棟換気用ユニット１について、図１乃至図４を参照して詳細に説明する。棟換気用ユニット１は、屋根２の棟に取付けて建物の小屋裏３を換気するためのものであり、棟換気用内部材１０と取付部材２０とを有している。
【００２１】
棟換気用内部材１０は、長方形で平板状の基部１１と、基部１１の一つの長辺から上方へ延出している平板状の第一中壁部１２と、第一中壁部１２の上端辺から基部１１と平行に反対側へ延出している平板状の第一上壁部１３と、第一上壁部１３の先端辺から基部１１と同じ高さまで下方へ延出している平板状の側壁部１４と、基部１１における残りの長辺から第一中壁部１２と同じ高さまで上方へ延出している平板状の第二中壁部１５と、第二中壁部１５の上端辺から第一上壁部１３と同一面上で基部１１とは反対側へ延出している平板状の第二上壁部１６と、側壁部１４の下端辺から第一中壁部１２の上端辺付近まで斜めに延出している平板状の傾斜壁部１７と、を有している。
【００２２】
第一中壁部１２は、基部１１の短辺の長さと同じ高さまで上方へ延出している。第一中壁部１２は、上端辺側が基部１１から遠ざかるように、斜めに延出している。第二中壁部１５は、基部１１に対して直角に延出している。第一上壁部１３は、第一中壁部１２側の端辺から側壁部１４側の端辺までの長さが、基部１１の短辺の長さよりも長い。第二上壁部１６は、第二中壁部１５側の端辺から先端辺までの長さが、第一上壁部１３における第一中壁部１２側の端辺から側壁部１４側の端辺までの長さと同じである。本実施形態の棟換気用内部材１０は、エキスパンドメタル、パンチングメタル、ウェッジワイヤースクリーン、金網、のような通気性を有する金属板を屈曲させて形成されている。
【００２３】
取付部材２０は、長方形で平板状の挟持部２１と、挟持部２１の一方の長辺から直角に延出している平板状の補強部２２と、を有している。取付部材２０は、長手方向に直交する断面が、Ｌ字状である。挟持部２１は、短辺の長さが、棟換気用内部材１０における側壁部１４の上端辺から下端辺までの長さよりも短い。補強部２２は、挟持部２１側の端辺から先端辺までの長さが、挟持部２１の短辺の長さよりも長く、棟換気用内部材１０における第一上壁部１３の第一中壁部１２側の端辺から側壁部１４側の端辺までの長さよりも短い。本実施形態の取付部材２０は、アルミニウム合金や鋼材のような金属からなる不等辺のＬ字状のアングル材である。
【００２４】
続いて、上記の棟換気用ユニット１を、切妻屋根や寄棟屋根のような棟を境にして両側へ雨水が流れる両流れの屋根２の棟に取付けることにより、棟換気構造Ａを構築する方法について、図１乃至図４を参照して説明する。ここでは、屋根２として、棟の長手方向（流れ方向に直交する方向）へ間隔をあけて、上方へ突出していると共に流れ方向へ長い複数の突条部２ａを有する縦葺板金屋根としている。
【００２５】
本実施形態の棟換気構造Ａは、棟側に小屋裏３と連通し棟に沿った開口部７を形成している状態で屋根構造材に取付けられている野地板４と、野地板４の上面における棟側の端辺に沿って取付けられている棒状の桟部材５と、桟部材５よりも軒側で野地板４の上面に取付けられている板金屋根材６と、一部が桟部材５よりも軒側へ延出しており板金屋根材６との間に隙間が形成されるように桟部材５の上面に取付けられている棟換気用内部材１０及び取付部材２０を有する棟換気用ユニット１と、棟換気用内部材１０及び開口部７を上方から覆い、外方から棟換気用内部材１０を貫通して取付部材２０に組立ビス４２がねじ込まれることにより棟換気用内部材１０に取付けられている棟包３０と、を備えている。
【００２６】
屋根２の突条部２ａは、桟部材５の上面と同じ高さまで上方へ突出している。この屋根２では、図３に示すように、棟の長手方向の両端において、桟部材５の上側に棟板８が取付けられている。棟板８は、上下の高さが棟換気用ユニット１の棟換気用内部材１０における基部１１の下面から第一上壁部１３及び第二上壁部１６の上面までの高さと同じである。また、棟板８は、流れ方向の長さが、棟換気用内部材１０における側壁部１４から第二中壁部１５までの長さよりも若干長い。棟板８は、屋根の流れ方向の断面が、流れ方向へ長い長方形である。
【００２７】
棟板８は、軒側の側面が、桟部材５よりも軒側に位置するように取付けられている。詳しくは、桟部材５に棟換気用内部材１０を取付けた時に、側壁部１４の外側の面と棟板８の軒側の側面とが同一面上となる位置に、棟板８が取付けられている。また、屋根２における棟板８が取付けられている部位では、野地板４が桟部材５よりも棟側へ突出して、反対側の野地板４と当接しており、開口部７が閉鎖されている。
【００２８】
棟包３０は、長方形で平板状の側被覆部３１と、側被覆部３１の一方の長辺から直角に延出している平板状の上被覆部３２と、側被覆部３１の他方の長辺から上被覆部３２とは反対側へ延出している水切部３３と、を有し、上被覆部３２の先端辺を境にして対称に形成されている。
【００２９】
側被覆部３１は、短辺の長さが、棟換気用ユニット１の棟換気用内部材１０における側壁部１４の上端から下端までの長さよりも若干短い。上被覆部３２は、側被覆部３１側の端辺から先端辺までの長さが、棟換気用内部材１０における第一上壁部１３の側壁部１４側の端辺から第二上壁部１６の先端辺までの長さよりも若干長い。
【００３０】
水切部３３は、側被覆部３１に対して鈍角で、側被覆部３１の短辺の長さよりも長く延出しており、先端辺が下側へ折返されている。棟包３０は、ガルバリウム鋼板（登録商標）、ステンレス鋼板、トタン、のような金属板を屈曲させて形成されている。なお、棟包３０を、棟換気用ユニット１に含めるようにしても良い。
【００３１】
両流れの屋根２では、棟換気用ユニット１における二つの棟換気用内部材１０を、夫々の第二上壁部１６の先端辺同士が対面するように配置した状態で、可撓性を有する粘着テープ４０を、夫々の第二上壁部１６同士に跨るように貼り付けて、二つの棟換気用内部材１０を連結して使用する。
【００３２】
棟換気構造Ａの構築は、まず、二つが連結された夫々の棟換気用内部材１０における第一上壁部１３と側壁部１４と傾斜壁部１７とで囲まれている空間に、取付部材２０を挿入する。この際に、挟持部２１が側壁部１４に対面すると共に、補強部２２が第一上壁部１３と対面するように、取付部材２０を挿入する。
【００３３】
その後、粘着テープ４０により連結されている二つの棟換気用内部材１０の夫々の基部１１を、屋根２の棟における開口部７が形成されている部位の両側の桟部材５に載置する。そして、夫々の棟換気用内部材１０の側壁部１４を、棟板８の軒側の側面と同一面上に位置させる。この状態で、上方から固定ビス４１を、基部１１を通して桟部材５及び野地板４にねじ込んで、夫々の基部１１を夫々の桟部材５に取付ける。なお、開口部７が形成されている部位の棟の長さよりも、棟換気用内部材１０の長手方向の長さが短い場合には、複数の棟換気用内部材１０を長手方向へ並べて取付ける。
【００３４】
屋根２の棟に棟換気用内部材１０を取付けたら、棟の長手方向の一方の端部側から他方の端部側へ向かって、複数の棟包３０を順番に取付ける。まず、棟の長手方向の一方の端部側において、棟を境にした二つの棟板８に、上方から棟包３０を被せ、上被覆部３２を棟板８の上面に当接させると共に、側被覆部３１を棟板８の軒側の側面に当接させる。この状態で、取付ビス４３を、外方から棟包３０の側被覆部３１を通して棟板８の軒側の側面にねじ込むことにより、棟板８に棟包３０を取付ける。
【００３５】
次に、先に取付けた棟包３０に一部が重なるように、別の棟包３０を棟に取付けられている二つの棟換気用内部材１０に被せ、上被覆部３２を第一上壁部１３及び第二上壁部１６に当接させると共に、側被覆部３１を側壁部１４に当接させる。そして、組立ビス４２を、外方から側被覆部３１及び側壁部１４を通して取付部材２０の挟持部２１にねじ込み、組立ビス４２の頭部と挟持部２１とで、側被覆部３１と側壁部１４とを挟持することにより、棟換気用内部材１０に棟包３０を取付ける。
【００３６】
棟換気用内部材１０を覆うように棟包３０を取付けたら、その棟包３０に一部が重なるように、更に別の棟包３０を、棟の長手方向の他方の端部側の二つの棟板８に、上記と同様の手順により取付ける。これにより、屋根２の棟に棟換気用内部材１０と棟包３０とが取付けられて、棟換気構造Ａが構築された状態となる。
【００３７】
棟換気構造Ａが構築されている状態では、棟包３０の平板状の上被覆部３２が、棟換気用内部材１０の基部１１の下面から第一上壁部１３及び第二上壁部１６の上面までの高さの分だけ、桟部材５よりも上方に位置することとなり、第二中壁部１５における通気空間が、開口部７を通して小屋裏３内の空間と連通している。
【００３８】
一方、棟換気用内部材１０の第一中壁部１２では、上端辺から軒側へ第一上壁部１３が延出していることから、第一上壁部１３の軒側の端辺が桟部材５よりも軒側に位置することとなり、第一上壁部１３の軒側の端辺から基部１１と同じ高さまで下方へ延出している側壁部１４も桟部材５よりも軒側に位置している。そして、側壁部１４の外側を、棟包３０の側被覆部３１が覆っていることから、側被覆部３１が桟部材５よりも軒側に位置していると同時に、桟部材５よりも軒側の板金屋根材６の上方に位置している。また、棟包３０の側被覆部３１の下端辺から軒側へ延出している水切部３３が、屋根２の突条部２ａの上面と当接している。これにより、棟包３０の水切部３３と板金屋根材６の上面との間に、突条部２ａの高さと同じ隙間が形成された状態となっており、その隙間を通して棟換気用内部材１０の第一中壁部１２における通気空間が外部空間と連通している。
【００３９】
従って、棟換気用ユニット１における通気性を有する棟換気用内部材１０の第一中壁部１２と第二中壁部１５とにおける通気空間を通して、棟包３０の水切部３３と板金屋根材６の上面との間の隙間と、野地板４よりも棟側の開口部７とが、連通した状態となり、小屋裏３を換気することができる。
【００４０】
このように、本実施形態の棟換気構造Ａ及び棟換気用ユニット１によれば、棟換気用内部材１０により棟に沿った開口部７の全長に亘る部位で小屋裏３の換気を行うことができるため、従来のように上部材に形成されている通気口の部位で換気する場合と比較して、外部と小屋裏３とが連通する通路を大きくすることができ、小屋裏３を十分に換気することができる。また、棟包３０に貫通孔を形成する必要がないため、コストの増加を抑制させることができる。
【００４１】
また、棟包３０における水切部３３と板金屋根材６の上面との間の隙間を通して、小屋裏３を換気していることから、棟包３０よりも上方へ突出するような部材を有していないため、屋根２の外観が悪化することはない。
【００４２】
更に、屋根２の外部と小屋裏３との間を、棟換気用ユニット１における通気性を有する棟換気用内部材１０の第一中壁部１２及び第二中壁部１５で仕切っているため、外部から昆虫、鳥や小動物が侵入し辛いものとすることができる。
【００４３】
また、二つの棟換気用内部材１０を粘着テープ４０で連結していることから、夫々を屋根２の両側の桟部材５に載置した時に、屋根２の傾斜により二つの棟換気用内部材１０が互いに遠ざかる方向へ移動することはなく、両側の桟部材５に載置されたままとなるため、屋根２の棟に棟換気用内部材１０を取付ける際に、棟換気用内部材１０が軒側へ移動しないように保持し続ける必要が無く、屋根２への取付作業を容易なものとすることができる。
【００４４】
また、棟換気用ユニット１において、棟換気用内部材１０における第一上壁部１３と側壁部１４と傾斜壁部１７とで囲まれた空間内に取付部材２０を挿入しているため、棟換気用内部材１０を屋根２の棟に取付ける際に、棟換気用内部材１０から取付部材２０が落下することはなく、棟換気用内部材１０の取付作業を容易なものとすることができる。
【００４５】
更に、組立ビス４２の頭部と取付部材２０とで側被覆部３１と側壁部１４とを挟持することにより、棟換気用内部材１０に棟包３０を取付けているため、棟換気用内部材１０として、全体的に無数の孔があいている部材を用いても、組立ビス４２の頭部と取付部材２０とで挟持することができ、棟換気用内部材１０に棟包３０を確実に取付けることができる。
【００４６】
また、二つの棟換気用内部材１０を、可撓性を有する粘着テープ４０で連結していることから、粘着テープ４０の部位で二つの棟換気用内部材１０の角度を自由に変化させることができるため、様々な傾斜角度の屋根２に対応することができる。この際に、棟包３０は、棟換気用内部材１０よりも厚さが薄いため、二つの上被覆部３２同士の境で、屋根２の傾斜角度に合わせて容易に折り曲げることができる。
【００４７】
また、屋根２に棟換気構造Ａを構築した状態では、棟換気用内部材１０の第二中壁部１５の上端辺から棟側へ第二上壁部１６が延出しているため、第二上壁部１６の棟側の端辺が桟部材５よりも棟側へ位置することとなり、第二上壁部１６が開口部７の上方に位置している。そして、棟包３０の上被覆部３２が、第一上壁部１３の軒側の端辺から第二上壁部１６の棟側の端辺まで覆っているため、上被覆部３２上に降った雨水を、桟部材５よりも軒側の板金屋根材６上へ誘導することができ、開口部７を通した小屋裏３内への雨水の浸入を防止することができる。
【００４８】
更に、本実施形態の棟換気用ユニット１の棟換気用内部材１０では、棟板８と同じ高さとしており、棟板８に取付けられる棟包３０を、棟換気用内部材１０にも取付けることができるようにしているため、棟包３０に既存のものを流用することができ、棟換気構造Ａの構築にかかるコストを低減させることができる。
【００４９】
以上、本発明について好適な実施形態を挙げて説明したが、本発明は上記の実施形態に限定されるものではなく、本発明の要旨を逸脱しない範囲において、種々の改良及び設計の変更が可能である。なお、以下では、構成が同じ部位については同一の符号を付し、詳細な説明は省略する。
【００５０】
例えば、上記の実施形態では、棟換気構造Ａが構築される屋根２として、縦葺板金屋根を示したが、これに限定するものではなく、流れ方向に直交する方向へ間隔をあけて、上方へ突出していると共に流れ方向へ長い複数の突条部としての瓦棒を有する瓦棒屋根のように、野地板４の棟側の端辺に棒状の桟部材５が取付けられている屋根であれば良い。
【００５１】
また、上記の実施形態では、両流れの屋根２に対して、粘着テープ４０により連結して使用する形態の棟換気用内部材１０を示したが、これに限定するものではなく、第二上壁部１６の先端同士が繋がって連続している形態の棟換気用内部材としても良い。
【００５２】
更に、上記の実施形態では、棟換気用内部材１０として傾斜壁部１７を備えたものを示したが、これに限定するものではなく、傾斜壁部１７を備えていない棟換気用内部材１０としても良い。また、上記の実施形態では、棟換気用内部材１０として、第一中壁部１２が基部１１から斜めに延出しているものを示したが、これに限定するものではなく、第一中壁部１２が基部１１から直角に延出しているものとしても良い。
【００５３】
また、上記の実施形態では、棟換気用内部材１０として、全体が通気性を有するものを示したが、これに限定するものではなく、第一中壁部１２及び第二中壁部１５のみが通気性を有する棟換気用内部材１０としても良い。
【００５４】
更に、上記の実施形態では、両流れの屋根２に棟換気構造Ａを構築したもの示したが、これに限定するものではなく、図５に示すように、片流れの屋根２Ａに棟換気構造Ａを構築するようにしても良い。上記の実施形態との相違点は、二つの棟換気用内部材１０における第二上壁部１６の先端辺同士を粘着テープ４０により連結して使用しないと共に、棟包３０Ａが対称ではなく上被覆部３２の先端辺から垂直に下方へ延出している平板状の壁被覆部３４を有している点である。また、ここでは、取付部材２０として、等辺のＬ字状のアングル材を使用している。
【００５５】
片流れの屋根２Ａでは、第一中壁部１２と側壁部１４との間の空間に取付部材２０が挿入されている棟換気用内部材１０を、側壁部１４を軒側へ向けた状態で基部１１を桟部材５に載置し、第二上壁部１６の先端辺を、外壁９の外面の延長面上に位置させた状態とする。この状態で、固定ビス４１を、上方から基部１１を貫通させて桟部材５及び野地板４にねじ込むことにより、棟換気用内部材１０を桟部材５に取付ける。その後、片流れ用の棟包３０Ａを、壁被覆部３４が外壁９の外面と接するように、上方から棟換気用内部材１０に被せる。そして、組立ビス４２を、外方から側被覆部３１及び側壁部１４を通して取付部材２０の挟持部２１にねじ込んで、棟換気用ユニット１に棟包３０を取付けることにより棟換気構造Ａが構築される。これにより、片流れの屋根２Ａでも小屋裏３を換気することができ、上記と同様の作用効果を奏することができる。
【符号の説明】
【００５６】
Ａ  棟換気構造
１  棟換気用ユニット
２  屋根（両流れ）
２Ａ  屋根（片流れ）
２ａ  突条部
３  小屋裏
４  野地板
５  桟部材
６  板金屋根材（屋根材）
７  開口部
１０  棟換気用内部材
１１  基部
１２  第一中壁部
１３  第一上壁部
１４  側壁部
１５  第二中壁部
１６  第二上壁部
１７  傾斜壁部
２０  取付部材
２１  挟持部
２２  補強部
３０，３０Ａ  棟包
３１  側被覆部
３２  上被覆部
３３  水切部
３４  壁被覆部
４１  固定ビス
４２  組立ビス
【図１】
2019094722.tif 000003
【図２】
2019094722.tif 000004
【図３】
2019094722.tif 000005
【図４】
2019094722.tif 000006
【図５】
2019094722.tif 000007